(57)【要約】【課題】ディスプレイ装置と本体とが分割された開閉式の情報処理装置において、機械的スイッチや磁気検知スイッチなどの特別な機構を設けずに開閉による装置の損傷を回避し、装置の軽薄短小が可能な開閉検知機能を有する情報処理装置を提供する。【解決手段】液晶パネル１１０面の上に小領域に分割して配置される複数の光学センサでなるエリアセンサ１０３を有するタッチパネルと、エリアセンサ１０３の全領域または一部の領域で読み取った画像からディスプレイ装置１０１と本体１０５との開閉状態を示す値を出力する開閉検知部１０７と、開閉検知部１０７の出力値からディスプレイ装置１０１と本体１０５とが開状態であるか閉状態であるかを判断する制御部１２０と、を備える。【選択図】  図２
2011065271.tif 000002
【特許請求の範囲】
【請求項１】
表示パネル面に画像表示を行うディスプレイ装置と所定の情報処理を実行する本体とを対面させて閉じ、使用時に前記ディスプレイ装置と前記本体とが開放される情報処理装置であって、
前記表示パネル面の上に小領域に分割して配置される複数の光学センサでなるエリアセンサを有するタッチパネルと、
前記エリアセンサの全領域または一部の領域で読み取った画像から前記ディスプレイ装置と前記本体との開閉状態を示す値を出力する開閉検知手段と、
前記開閉検知手段が出力する値から前記ディスプレイ装置と前記本体とが開状態であるか閉状態であるかを判断する開閉状態判断手段と、
を備えることを特徴とする情報処理装置。
【請求項２】
前記開閉状態判断手段は、前記開閉検知手段の出力値と、前記ディスプレイ装置の表示面が閉状態のときに前記開閉検知手段で出力されるべき基準値範囲と比較して、基準値範囲内であれば閉状態と判断することを特徴とする請求項１に記載の情報処理装置。
【請求項３】
前記開閉状態判断手段は、前記開閉検知手段の出力値と、前記ディスプレイ装置の表示面が閉状態のときに前記開閉検知手段で出力されるべき基準値範囲と比較して、基準値範囲外であれば開状態と判断することを特徴とする請求項１または２に記載の情報処理装置。
【請求項４】
前記ディスプレイ装置が閉状態で前記開閉検知手段と正対する位置に、発光素子を配置することを特徴とする請求項１，２または３に記載の情報処理装置。
【請求項５】
前記発光素子は、ステータス表示用の発光素子と兼用することを特徴とする請求項４に記載の情報処理装置。
【請求項６】
前記開閉状態判断手段は、前記発光素子が点滅している場合前記発光素子が点灯している間に前記開閉検知手段が画像を読み取る請求項４または５に記載の情報処理装置。
【請求項７】
前記開閉状態判断手段は、前記開閉検知手段の出力値を、初めに読み込んだ値とその後一定時間経過後に再度読み込んだ値いずれの値も、基準値範囲内であれば閉状態、いずれかの値が基準値範囲外であれば開状態とそれぞれ判断することを特徴とする請求項１〜６のいずれか一つに記載の情報処理装置。
【請求項８】
前記開閉状態判断手段は、前記ディスプレイ装置の表示面が閉状態であると判断した際、前記開閉検知手段を除いた前記エリアセンサへの電源供給を停止して省電力状態にすることを特徴とする請求項１〜７のいずれか一つに記載の情報処理装置。
【請求項９】
前記開閉検知手段の出力値と比較される基準値範囲は、手動または自動で再設定可能であることを特徴とする請求項１〜８のいずれか一つに記載の情報処理装置。
【請求項１０】
前記開閉検知手段は、複数領域に配置されることを特徴とする請求項１〜９のいずれか一つに記載の情報処理装置。
【発明の詳細な説明】
【技術分野】
【０００１】
本発明は、各種情報処理における画像表示などを行うディスプレイ装置と各種情報処理などを実行する本体とが開閉可能な情報処理装置に関するものである。
【背景技術】
【０００２】
従来、ＰＤＡ（ｐｅｒｓｏｎａｌ  ｄｉｇｉｔａｌ  ａｓｓｉｓｔａｎｔ）やノート型パーソナルコンピュータ（以下、ノートパソコンという）、携帯電話、電子辞書などの情報処理装置は、ディスプレイ装置を本体部分と対向させ、ディスプレイ装置を開閉可能にし、閉状態ではディスプレイ装置の表示を消して電力供給を遮断するなど省電力状態にする製品が広く普及している。このようなディスプレイ開閉式の情報処理装置において、ディスプレイ装置の開閉検知は、本体に開閉検知用に設けられた機械的スイッチあるいは磁気検知スイッチを用いられている（たとえば、特許文献１参照）。
【０００３】
しかし、機械的スイッチや磁気検知スイッチは情報処理装置の小型化を図る上で妨げになる。この問題を解決するために、たとえば、特許文献２では、図４に示すようにディスプレイ装置３０１の表示面３０２よりも大きい入力エリアを有するタッチパネル３０３を用いて、ディスプレイ装置３０１が閉状態のときに、本体３０４に設けた突起部３０５でタッチパネル３０３を押すことにより、ディスプレイ装置３０１の開閉検知を行う方法が開示されている。
【０００４】
一方、ＰＤＡやノートパソコンや携帯電話などの情報処理装置は、光学センサを内蔵したディスプレイ装置を備えた製品が広く普及している。たとえば、特許文献３には、表示部の発光回路を有する基板と同一基板上に光学センサおよび薄膜トランジスタを有するエリアセンサを備えたタッチパネルについて開示されている。
【発明の概要】
【発明が解決しようとする課題】
【０００５】
しかしながら、図４に示すディスプレイ装置３０１の開閉検知方式にあっては、ディスプレイ装置３０１が閉状態のときにタッチパネル３０３の座標３０３ａが突起部３０５により常に押される状態となるため、タッチパネル３０３が損傷しやすいものであった。また、ディスプレイ装置３０１の表示エリア３０２よりもタッチパネル３０３の入力エリアが大きいため、情報処理装置の小型化を図る上で妨げとなっていた。さらに、本体３０４に対してスライドする構造のディスプレイ装置には適用できないといった問題があった。
【０００６】
本発明は、上記に鑑みてなされたものであって、ディスプレイ装置と本体とが分割された開閉式の情報処理装置において、機械的スイッチや磁気検知スイッチなどの特別な機構を設けずに開閉による装置の損傷を回避し、装置の軽薄短小が可能な開閉検知機能を有する情報処理装置を提供することを目的とする。
【課題を解決するための手段】
【０００７】
上述した課題を解決し、目的を達成するために、本発明は、表示パネル面に画像表示を行うディスプレイ装置と所定の情報処理を実行する本体とを対面させて閉じ、使用時に前記ディスプレイ装置と前記本体とが開放される情報処理装置であって、前記表示パネル面の上に小領域に分割して配置される複数の光学センサでなるエリアセンサを有するタッチパネルと、前記エリアセンサの全領域または一部の領域で読み取った画像から前記ディスプレイ装置と前記本体との開閉状態を示す値を出力する開閉検知手段と、前記開閉検知手段の出力値から前記ディスプレイ装置と前記本体とが開状態であるか閉状態であるかを判断する開閉状態判断手段と、を備えることを特徴とする。
【発明の効果】
【０００８】
本発明にかかる情報処理装置は、多数の光学センサからなるエリアセンサ式タッチパネルを備え、機械的スイッチや磁気検知スイッチなど特別に部品を追加することなく、かつ開閉による装置の損傷を回避した開閉検知機能を実現することができ、情報処理装置の軽薄短小化が可能となるという効果を奏する。
【図面の簡単な説明】
【０００９】
【図１】図１は、この実施の形態にかかる開閉型の情報処理装置の概略構成を示す説明図である。
【図２】図２は、情報処理装置の図１における要部構成を示すブロック図である。
【図３】図３は、この実施の形態にかかる情報処理装置の開閉検知動作例および省電力動作例を示すフローチャートである。
【図４】図４は、従来における開閉型の情報処理装置の概略構成を示す説明図である。
【発明を実施するための形態】
【００１０】
以下に添付図面を参照して、この発明にかかる情報処理装置の一実施の形態を詳細に説明する。
【００１１】
（実施の形態）
図１は、この実施の形態にかかる開閉型の情報処理装置の概略構成を示す説明図である。また、図２は、図１における情報処理装置の要部構成を示すブロック図である。この図１、２に示すように、情報処理装置１０６は、バックライト１１０ａを背面に有する液晶パネル１１０とエリアセンサ１０３とタッチパネル内蔵表示面１０２と開閉センサ部１０４と開閉センサ部１１１とを有するディスプレイ装置１０１と、開閉検知手段としての開閉検知部１０７と読取画像面１０８と読取画像面１１２と発光素子１０９と電源スイッチ１１３を有する本体１０５を備える。
【００１２】
また、本体１０５は、ＣＰＵ，ＲＯＭ，ＲＡＭ、タイマーなどを有するマイクロコンピュータシステムによる開閉状態判断手段の機能を有する制御部１２０、制御部１２０の指示により通常動作での電力供給と省電力時の電力供給を制御する電力制御部１２１、電力供給源となる電源１２２、開閉検知部１０７の出力値と比較される基準値範囲を設定するための基準値範囲設定部１２３を備える。この基準値範囲設定部１２３はたとえば工場出荷時やサービスマンによる設定が可能な隠れスイッチ（制御基板上に設けられるディップスイッチなど）により構成する。なお、図２では、各種の情報処理を行う制御系の構成については省略してある。
【００１３】
タッチパネル内蔵表示面１０２のタッチパネルの機能は、液晶パネル１１０のバックライト１１０ａから放射された光がタッチした位置で反射しエリアセンサ１０３に照射されることにより単数あるいは複数のタッチした領域の座標をエリアセンサ１０３で検出する方式により実現している。
【００１４】
開閉センサ部１０４と開閉センサ部１１１は、エリアセンサ１０３の一部で構成され、開閉センサ部１０４および開閉センサ部１１１で読み取った画像を、それぞれ信号に変換して出力される。読取画像面１０８と読取画像面１１２は、ディスプレイ装置１０１が閉状態のときに開閉センサ部１０４と開閉センサ部１１１でそれぞれ画像を読み取られる領域である。
【００１５】
発光素子１０９は、その一部が読取画像面１０８の領域内で点灯するように配置されている。また、発光素子１０９は、ステータス表示用の発光素子と兼用する。すなわち、発光素子１０９は、情報処理装置１０６に電源が投入されていることを発光状態でユーザーに知らせる目的で付けられている素子(たとえばＬＥＤ：Ｌｉｇｈｔ  Ｅｍｉｔｔｉｎｇ  Ｄｉｏｄｅ)を兼用している。電源スイッチ１１３は、読取画像面１１２の領域内に配置されており、電源スイッチ１１３の表面にはマークが描かれている。
【００１６】
つぎに、上述した構成において、開閉状態検知部１０７により、ディスプレイ装置１０１の表示面の開閉状態を検知する手順について図３を用いて詳しく説明する。
【００１７】
図３は、この実施の形態にかかる情報処理装置の開閉検知動作例および省電力動作例を示すフローチャートである。この動作は、制御部１２０（図２参照）によって統括的に実行される。まず、開閉センサ部１０４の出力値が開閉検知部１０７に保持されている基準値範囲ａ内であるか否かを判断する（ステップＳ１）。ここでの基準値範囲ａは、読取画像面１０８の画像を開閉センサ部１０４で読み取った場合に出力されるべき信号範囲に設定されている。また、読取画像面１０８の損傷や老朽化により、読取値が基準値範囲ａから外れることを防ぐために、定期的に開閉センサ１０４で読み取りした読取画像面１０８の画像をもとに基準値範囲ａは補正される。
【００１８】
ステップＳ１において判断Ｎｏの場合、ディスプレイ装置１０１の表示面は開状態と判断する（ステップＳ５）。一方、ステップＳ１の判断結果がＹｅｓの場合、たとえば１００ミリ秒待機する（ステップＳ２）。この待機の後、開閉センサ部１１１の出力値が開閉検知部１０７に保持されている基準値範囲ｂ内の値であるか否かを判断する（ステップＳ３）。基準値範囲ｂは、読取画像面１１２の画像を開閉センサ部１１１で読み取った場合に出力されるべき信号範囲に設定されている。また、読取画像面１１２の老朽化や損傷などにより、読取値が基準値範囲ｂから外れることを防ぐために、定期的に開閉センサ１１１で読み取りした読取画像面１１２の画像をもとに基準値範囲ｂは補正される。
【００１９】
ステップＳ３の判断結果がＮｏの場合、ディスプレイ装置１０１の表示面は開状態と判断する（ステップＳ５）。一方、ステップＳ３の判断結果がＹｅｓの場合、ディスプレイ装置１０１の表示面は閉状態と判断する（ステップＳ４）。ディスプレイ装置１０１の表示面が閉状態の場合、さらにディスプレイ装置１０１は省電力状態であるか否かを判断する（ステップＳ６）。ステップＳ３の判断結果がＹｅｓの場合、ステップＳ１に戻る。一方、ステップＳ６の判断結果がＮｏの場合、開閉センサ部１０４および開閉センサ部１１１を除いたエリアセンサ１０３の電源供給を停止しディスプレイ装置１０１を省電力状態にした後（ステップＳ７）、ステップＳ１に戻る。
【００２０】
ディスプレイ装置１０１の表示面が開状態の場合、ディスプレイ装置は省電力状態であるか否かを判断する（ステップＳ８）。ステップＳ８判断結果がＮｏの場合、ステップＳ１に戻る。一方、ステップＳ８の判断結果がＹｅｓの場合、エリアセンサ１０３の電源供給を再開しディスプレイ装置１０１の省電力状態を解除した後（ステップＳ９）、ステップＳ１に戻る。上記手順により、機械的スイッチや磁気スイッチを使用せずにディスプレイ装置１０１の表示面の開閉状態を検知することができる。
【００２１】
したがって上述した実施の形態によれば、多数の光学センサからなるエリアセンサ式タッチパネルを備えたディスプレイ装置１０１の情報処理装置１０６において、機械的スイッチや磁気検知スイッチなど特別に部品を追加することなく開閉検知を実現することができる。すなわち、ＰＤＡやノートパソコンや携帯電話、小型ＤＶＤ再生装置、電子辞書などタッチパネル式のディスプレイ装置と本体とが対向して配置され、開閉式あるいはスライド式の情報処理装置の軽薄短小化が実現する。
【００２２】
また、タッチパネル内蔵表示面１０２と本体１０５は非接触で開閉状態を検知できるため、タッチパネルを損傷させることもない。さらに、本体１０５に対してスライドする方式のディスプレイ装置の開閉検知にも適用できる。
【００２３】
また、読取画像面１０８の部分に発光素子１０９を配置することで、ディスプレイ装置１０１が閉状態のときに開閉センサ部１０４で読み取る読取画像１０８面の画像を開状態のときに読み取る画像と大きく異なる画像にすることができるため、ディスプレイ装置１０１と本体１０５との開閉状態の誤検知を軽減することができる。
【００２４】
また、読取画像面１０８に配置する発光素子１０９を本体１０５の電源ＯＮ状態を表示するステータス表示用の発光素子と兼用することで、コストアップを防ぐことができる。
【００２５】
また、読取画像面１０８に配置した発光素子１０９を点滅させている場合も点灯している間に、開閉センサ部１０４が画像を読み取ることで、ディスプレイ装置１０１と本体１０５との開閉状態の誤検知を軽減することができる。
【００２６】
また、開閉検知部１０７では開閉センサ部１０４，１１１の出力値が、初めに読み込んだ値とその後一定時間経過後に再度読み込んだ値いずれの値も、基準値範囲内であれば閉状態、いずれかの値が基準値範囲外であれば開状態とそれぞれ判断することで、ディスプレイ装置１０１と本体１０５との開閉状態の誤検知を軽減することができる。
【００２７】
また、ディスプレイ装置１０１が閉状態のときは、開閉センサ部１０４，１１１を除いたエリアセンサ１０３に供給する電源供給を停止することで、情報処理装置１０６の省電力化を図ることができる。
【００２８】
また、開閉センサ部１０４，１１１の出力値と比較される基準値範囲は、基準値範囲設定部１２３を介して設定する手動設定あるいはは自動で再設定可能にすることで、読取画像面１０８，１１２の老朽化や損傷による開閉状態の誤検知を軽減することができる。また、開閉センサ部を複数領域に配置することで、開閉検知の精度を高めることができる。
【００２９】
なお、上述した実施の形態では表示パネルとして液晶パネルを例にとって説明したが、これに限定されるものではなく、たとえばプラズマディスプレイ、ＥＬディスプレイなどであってもよい。また、ディスプレイ装置はモノクロ、フルカラーのいずれであっても本発明は適用可能である。
【産業上の利用可能性】
【００３０】
以上のように、本発明にかかる情報処理装置は、タッチパネル式のディスプレイ装置と本体とが対向して配置され、開閉式あるいはスライド式の情報処理装置などの開閉検知手段に有用であり、特に、ＰＤＡ、ノートパソコン、携帯電話、電子辞書、ゲーム機器などに適している。
【符号の説明】
【００３１】
１０１  ディスプレイ装置
１０２  タッチパネル内蔵表示面
１０３  エリアセンサ
１０４，１１１  開閉センサ部
１０５  本体
１０６  情報処理装置
１０７  開閉検知部
１０８、１１２  読取画像面
１０９  発光素子
１１０  液晶パネル
１２０  制御部
１２１  電力制御部
１２２  電源
１２３  基準値範囲設定部
【先行技術文献】
【特許文献】
【００３２】
【特許文献１】特開２０００−１１３７６８号公報
【特許文献２】特開２００６−０７２８７１号公報
【特許文献３】特許第４１１２１８４号公報
【図１】
2011065271.tif 000003
【図２】
2011065271.tif 000004
【図３】
2011065271.tif 000005
【図４】
2011065271.tif 000006